(57)【要約】【課題】本発明はバンド幅を節約することができる表示装置信号送信方法及び表示装置を提供することを目的とする。【解決手段】本発明の表示装置信号送信方法は、次の通りのステップを備える：ステップａで、ＲＧＢ信号を受信・送信する、ステップｂで、前記ＲＧＢ信号をサンプリング率が異なるＹＣｂＣｒ信号に変換する、ステップｃで、前記ＹＣｂＣｒ信号を送信する、ステップｄで、該ＹＣｂＣｒ信号をＲＧＢ信号に還元して画像表示を実現する。【選択図】図４
2007279740.tif 000002
【特許請求の範囲】
【請求項１】
表示装置信号送信方法において、
ａ.ＲＧＢ信号を受信・送信するステップと、
ｂ.前記ＲＧＢ信号をサンプリング率が異なるＹＣｂＣｒ信号に変換するステップと、
ｃ.前記ＹＣｂＣｒ信号を送信するステップと、
ｄ.前記ＹＣｂＣｒ信号をＲＧＢ信号に還元して画像表示を実現するステップと、
を含むことを特徴とする表示装置信号送信方法。
【請求項２】
前記ステップｂは、マトリクス変換回路を介して実現し、前記ステップｄは、逆マトリクス変換回路を介して実現することを特徴とする請求項１に記載の表示装置信号送信方法。
【請求項３】
前記ＲＧＢ信号をサンプリング率が異なるＹＣｂＣｒ信号に変換するステップにおいて、４：２：２、４：２：０又は４：１：１のサンプリング方式を採用することを特徴とする請求項１〜２のいずれかの一項に記載の表示装置信号送信方法。
【請求項４】
ビデオ信号を受信・送信するためのビデオ信号処理板と、ビデオ信号を処理し、かつ画像表示を実現するための液晶表示モジュールとを備える表示装置であって、
マトリクス変換回路と、逆マトリクス変換回路を備え、前記マトリクス変換回路は、ＲＧＢ信号をサンプリング率が異なるＹＣｂＣｒ信号に変換し、前記逆マトリクス変換回路は、前記サンプリング率が異なるＹＣｂＣｒ信号をＲＧＢ信号に還元することを特徴とする表示装置。
【請求項５】
前記表示装置は液晶表示装置であり、該液晶表示装置は、ビデオ信号処理板と、液晶表示モジュールとを備え、前記ビデオ信号処理板は、アナログ−デジタル・コンバーターと、ティーエムディーエスと、マルチプレクサと、スケーラーと、低電圧差動信号発送器とを備え、前記アナログ−デジタル・コンバーター及びティーエムディーエスが別々に前記マルチプレクサと直列接続され、前記マルチプレクサと、スケーラーと、低電圧差動信号発送器とが順次に直列接続することを特徴とする請求項４に記載の表示装置。
【請求項６】
前記液晶表示モジュールは、低電圧差動信号接収器と、タイミング・コントローラと、データドライバと、走査ドライバと、液晶面板とを備え、前記低電圧差動信号接収器が前記タイミング・コントローラと直列接続され、前記タイミング・コントローラが別々に前記データドライバ及び走査ドライバを通じて前記液晶面板に接続されることを特徴とする請求項４に記載の表示装置。
【請求項７】
前記マトリクス変換回路は、ビデオ信号処理板のスケーラーに設けられていて、前記逆マトリクス変換回路は、液晶表示モジュールのデータドライバに設けられていることを特徴とする請求項５に記載の表示装置。
【請求項８】
前記マトリクス変換回路は、液晶表示モジュールのタイミング・コントローラに設けられていて、前記逆マトリクス変換回路は、液晶表示モジュールのデータドライバに設けられていることを特徴とする請求項５に記載の表示装置。
【請求項９】
信号処理回路を更に備え、前記信号処理回路は、メモリコントローラと、メモリと、信号処理器とを備え、前記メモリコントローラは、別々にメモリ及び信号処理器と接続し、前記メモリコントローラは、同時にタイミング・コントローラと接続し、前記信号処理器は、同時にデータドライバと接続することを特徴とする請求項７〜８のいずれかの一項に記載の表示装置。
【請求項１０】
信号処理回路を更に備え、前記信号処理回路は、メモリコントローラと、メモリと、信号処理器とを備え、前記マトリクス変換回路と、メモリコントローラと、信号処理器と、逆マトリクス変換回路とは順次に直列接続し、前記メモリは、メモリコントローラと単独に接続し、前記マトリクス変換回路は、同時に前記タイミング・コントローラと接続し、前記逆マトリクス変換回路は、同時にデータドライバと接続することを特徴とする請求項５に記載の表示装置。
【発明の詳細な説明】
【技術分野】
【０００１】
本発明は、表示装置及びその信号送信方法に関するものであり、特に液晶表示装置及びその信号送信方法に関するものである。
【背景技術】
【０００２】
液晶表示装置は軽量・薄型・低電力消耗・低輻射性などの性能を有し、ますます広く使用されてきて、且つ技術の成熟と進歩に従って、種類が多種多様になっている。
【０００３】
従来の液晶表示装置の信号送信過程において、一般的に、送信する信号はＲＧＢ信号である。図１を参照すると、一種のＲＧＢ信号送信方式を採用する液晶表示装置の回路を示す図である。前記液晶表示装置１は、ビデオ信号処理板（Ｓｃａｌｅｒ  Ｂｏａｒｄ）１１と、液晶表示モジュール（Ｌｉｑｕｉｄ  Ｃｒｙｓｔａｌ  Ｄｉｓｐｌａｙ  Ｍｏｄｕｌｅ，ＬＣＭ）１２とを備える。前記ビデオ信号処理板１１は、アナログ−デジタル・コンバーター（Ａｎａｌｏｇ−ｔｏ−Ｄｉｇｉｔａｌ  Ｃｏｎｖｅｒｔｅｒ，ＡＤＣ）１１１と、ティーエムディーエス（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ，ＴＭＤＳ）１１２と、マルチプレクサ（Ｍｕｌｔｉｐｌｅｘｅｒ）１１３と、スケーラー（Ｓｃａｌｅｒ）１１４と、低電圧差動信号発送器（Ｌｏｗ  Ｖｏｌｔａｇｅ  Ｄｉｆｆｅｒｅｎｔｉａｌ  Ｓｉｇｎａｌｉｎｇ，ＬＶＤＳ）１１５とを備える。前記液晶表示モジュール１２は、低電圧差動信号接収器１２１と、タイミング・コントローラ（Ｔｉｍｉｎｇ  Ｃｏｎｔｒｏｌｌｅｒ，Ｔ−Ｃｏｎ）１２２と、データドライバ１２３と、走査ドライバ１２４と、液晶面板１２５と、を備える。
【０００４】
外界からのアナログＲＧＢ信号は、前記アナログ−デジタル・コンバーター１１１を通じて、デジタルＲＧＢ信号に変換して前記マルチプレクサ１１３に入力するが、外界からのデジタルＲＧＢ信号は、前記ティーエムディーエス１１２を通じて、前記マルチプレクサ１１３に入力する。前記マルチプレクサ１１３は接収された信号をスケーラー１１４へ出力し、前記スケーラー１１４は接収された信号を処理してＲＧＢ信号に変換すると同時に、前記低電圧差動信号発送器１１５へ出力する。前記低電圧差動信号発送器１１５は、接収されたＲＧＢ信号を、ＲＧＢ信号を表わす低電圧差動信号に変換した後に、前記液晶表示モジュール１２へ送信する。前記液晶表示モジュール１２の前記低電圧差動信号接収器１２１は、前記低電圧差動信号を接収してＲＧＢ信号に還元し、該還元した後のＲＧＢ信号をタイミング・コントローラ１２２に入力し、前記タイミング・コントローラ１２２は接収されたＲＧＢ信号を処理すると同時に、それぞれ前記データドライバ１２３及び走査ドライバ１２４へＲＧＢ信号及び、制御信号を出力する。前記データドライバ１２３及び走査ドライバ１２４は相応するＲＧＢ信号と制御信号とを出力し、前記液晶面板１２５の表示画像を制御する。
【０００５】
液晶分子の応答速度を高くするために、現在、一部の液晶表示装置はオーバードライブ技術（Ｏｖｅｒ  Ｄｒｉｖｅ）を採用している。図２は、一種のオーバードライブ技術を採用する液晶表示装置を示す図である。この液晶表示装置２は、図１に示す液晶表示装置の上に信号処理回路２４を追加するものである。前記信号処理回路２４は、メモリコントローラ２４１と、メモリ２４２と、信号処理器２４３とを備える。前記信号処理回路２４は、前記液晶表示モジュール２２のタイミング・コントローラ２２２とデータドライバ２２３との間に直列接続する。前記メモリコントローラ２４１は、前記タイミング・コントローラ２２２から出力した一つのＲＧＢ画像信号を受信し、前記メモリ２４２に印加する。前記メモリコントローラ２４１は、前記ＲＧＢ画像信号が前記メモリ２４２に記録される時間を制御し、その後、前記メモリコントローラ２４１は、前記メモリ２４２から該ＲＧＢ画像信号を読み取ると同時に、前記タイミング・コントローラ２２２から入力する次のＲＧＢ画像信号を受信し、該二つのＲＧＢ画像信号を同時に前記信号処理器２４３に送信する。前記信号処理器２４３は、該二つのＲＧＢ画像信号を処理し、且つ処理したＲＧＢ画像信号をデータドライバ２２３に送信し、前記データドライバ２２３は、前記ＲＧＢ画像信号を受信すると同時に、前記液晶面板２２５の表示画像に補償する相応のＲＧＢ画像信号を出力する。
【０００６】
前記液晶表示装置１において、前記ビデオ信号処理板１１から前記液晶表示モジュール１２へ送信する低電圧差動信号はＲＧＢ信号を表わす。しかもオーバードライブ技術を採用する液晶表示装置２において、メモリ２４２に蓄える画像信号もＲＧＢ信号である。前記ＲＧＢ信号は、Ｒ成分と、Ｇ成分と、Ｂ成分とが同じサンプリング率を有するので、従来の技術によって信号送信し、蓄える過程においてデータを送信し、蓄える量が多過ぎ、即ち信号が占めるバンド幅がより大きい。
【発明の開示】
【発明が解決しようとする課題】
【０００７】
本発明の第一の目的は、前記のこうした課題を解決し、バンド幅を節約する表示装置信号送信方法を提供することである。
【０００８】
本発明の第二の目的は、前記のこうした課題を解決し、バンド幅を節約する信号送信方法を採用する表示装置を提供することである。
【課題を解決するための手段】
【０００９】
前記第一の目的を達成するため、本発明の表示装置信号送信方法は、次の通りのステップを備える：ａ. ＲＧＢ信号を受信・送信するステップ、ｂ.前記ＲＧＢ信号をサンプリング率が異なるＹＣｂＣｒ信号に変換するステップ、ｃ.前記ＹＣｂＣｒ信号を送信するステップ、ｄ.該ＹＣｂＣｒ信号をＲＧＢ信号に還元して画像表示を実現するステップ。
【００１０】
前記第二の目的を達成するため、本発明は、ビデオ信号処理板と、マトリクス変換回路（Ｍａｔｒｉｘ  Ｃｉｒｃｕｉｔ）と、逆マトリクス変換回路と、表示モジュールとを備える表示装置であって、前記ビデオ信号処理板は、ビデオ信号を受信・送信する、前記マトリクス変換回路は、ＲＧＢ信号をサンプリング率が異なるＹＣｂＣｒ信号に変換する、前記逆マトリクス変換回路は、該サンプリング率が異なるＹＣｂＣｒ信号をＲＧＢ信号に還元する、前記表示モジュールは、ビデオ信号を処理し、かつ画像表示を実現する。
【発明の効果】
【００１１】
本発明は、信号を送信し、蓄える過程において、サンプリング率が異なるＹＣｂＣｒ信号を採用するので、ＲＧＢ信号を送信し、蓄える過程に比べるとデータ量が少ない。これによってバンド幅を節約する目的を達成する。現在、表示装置は、大きい寸法の方向にますます発展する、本発明の長所も日増しに目立つ。従来の技術に比べると、本発明は部品の体積を小さくする。従って、表示装置がより軽く、より薄くなる。
【発明を実施するための最良の形態】
【００１２】
本発明は、一種の液晶表示装置信号送信方法を提供する。それは次の通りのステップを備える：
ステップａで、ＲＧＢ信号を受信・送信する；
ステップｂで、前記ＲＧＢ信号をサンプリング率が異なるＹＣｂＣｒ信号に変換する；
ステップｃで、前記ＹＣｂＣｒ信号を送信する；
ステップｄで、前記ＹＣｂＣｒ信号をＲＧＢ信号に還元して画像表示を実現する。
【００１３】
その中で、ステップｂは、マトリクス変換回路を介して実現し、ステップｄは、逆マトリクス変換回路を介して実現する。
【００１４】
図３は、本発明の液晶表示装置信号送信方法のバンド幅を節約する原理を示す図である。従来の液晶表示装置の信号を送信する過程において、送信する信号は一般的にＲＧＢ信号であり、それぞれ画素は別々に一つの成分Ｒ、一つの成分Ｇ、一つの成分Ｂを含むので、データを送信する時に、めいめいの成分が一つのバイトを占める場合、４個の画素を送信すると、１２バイトを必要とする。本発明の液晶表示装置の信号を送信する過程において、送信する信号はＹＣｂＣｒ信号である、データを４：２：０のサンプリング方式で送信するときには、２×２に基づいて配列する各組４個の画素は、一つの成分Ｃｂ及び一つの成分Ｃｒを共有する。それぞれ画素は別々に一つの成分Ｙを含むので、各成分が一つのバイトをしめる場合、４個の画素を送信すると、６バイトを必要とする。従って、データを４：２：０のサンプリング方式で送信するときには、送信するデータ量は元来の１/２である。これによって、バンド幅を節約する目的を達成する。
【００１５】
信号を送信する過程において、ＹＣｂＣｒ信号は、まだ４：２：２或は４：１：１のサンプリング方式を採用することができ、その送信するデータ量は別々にＲＧＢ信号を採用して送信する方式の２/３又は１/２である。
【００１６】
前記信号送信方法を具体的に実現する液晶表示装置は、多種の実施形態がある。図４を参照すると、本発明の信号送信方法を採用する液晶表示装置の第１実施形態の回路ブロックを示す図である。前記液晶表示装置３は、ビデオ信号処理板３１と、液晶表示モジュール３２を備える。前記ビデオ信号処理板３１は、アナログ−デジタル・コンバーター３１１と、ティーエムディーエス３１２と、マルチプレクサ３１３と、スケーラー３１４と、低電圧差動信号発送器３１５とを備える。前記スケーラー３１４は、マトリクス変換回路３１６を備える。前記液晶表示モジュール３２は、低電圧差動信号接収器３２１と、タイミング・コントローラ３２２と、データドライバ３２３と、走査ドライバ３２４と、液晶面板３２５とを備える。前記データドライバ３２３は、逆マトリクス変換回路３２７を備える。
【００１７】
外界からのアナログＲＧＢ信号は、前記アナログ−デジタル・コンバーター３１１を通じてデジタル信号になると同時に、前記マルチプレクサ３１３に入力したが、外界からのデジタルＲＧＢ信号は、前記ティーエムディーエス３１２を通じて前記マルチプレクサ３１３に入力し、前記マルチプレクサ３１３は、接収された信号をスケーラー３１４へ出力する。前記スケーラー３１４は接収された信号を処理してＲＧＢ信号に変換すると同時に、前記マトリクス変換回路３１６へ出力する。前記マトリクス変換回路３１６は、該ＲＧＢ信号を相応のＹＣｂＣｒ信号に変換すると同時に、前記低電圧差動信号発送器３１５へ出力する。前記低電圧差動信号発送器３１５は接収されたＹＣｂＣｒ信号を、ＹＣｂＣｒ信号を表わす低電圧差動信号に変換した後に、前記液晶表示モジュール３２へ送信する。前記液晶表示モジュール３２の前記低電圧差動信号接収器３２１は、前記低電圧差動信号を接収すると同時に、ＹＣｂＣｒ信号に還元し、且つこの還元したＹＣｂＣｒ信号をタイミング・コントローラ３２２へ入力する。前記タイミング・コントローラ３２２は接収されたＹＣｂＣｒ信号を処理し、且つ前記データドライバ３２３へＹＣｂＣｒ信号を出力すると同時に、前記走査ドライバ３２４へ制御信号を出力する。前記データドライバ３２３内部の逆マトリクス変換回路３２７は、受信されたＹＣｂＣｒ信号をＲＧＢ信号に還元する。前記データドライバ３２３及び走査ドライバ３２４は、前記液晶面板３２５の表示画像を制御する相応のＲＧＢ信号と制御信号を出力する。
【００１８】
図５を参照すると、本発明の信号送信方法を採用する液晶表示装置の第２実施形態の回路ブロックを示す図である。本実施形態の液晶表示装置５は前記第１実施形態の回路ブロックと大体同じであるが、この第２実施形態と前記第１実施形態とは次の点で異なる。液晶表示モジュール５２のタイミング・コントローラ５２２と、データドライバ５２３との間に信号処理回路５４を直列接続する。前記信号処理回路５４は、メモリコントローラ５４１と、メモリ５４２と、信号処理器５４３とを備える。前記メモリコントローラ５４１は、前記タイミング・コントローラ５２２から出力した一つのＹＣｂＣｒ画像信号を受信し、前記メモリ５４２に印加する。前記メモリコントローラ５４１から該ＹＣｂＣｒ画像信号を制御して、前記メモリ５４２に記録される時間を制御し、その後、前記メモリコントローラ５４１は、前記メモリ５４２から該ＹＣｂＣｒ画像信号を読み取ると同時に、前記タイミング・コントローラ５２２から入力する次のＹＣｂＣｒ画像信号を受信し、該二つのＹＣｂＣｒ画像信号を同時に前記信号処理器５４３に送信する。前記信号処理器５４３は、該二つのＹＣｂＣｒ画像信号を処理し、且つ処理したＹＣｂＣｒ画像信号をデータドライバ５２３に送信する。前記データドライバ５２３は、前記ＹＣｂＣｒ画像信号を受信すると同時に、前記液晶面板５２５の表示画像に補償する相応のＲＧＢ画像信号を出力する。
【００１９】
図６を参照すると、本発明の信号送信方法を採用する液晶表示装置の第３実施形態の回路ブロックを示す図である。本実施形態の液晶表示装置６は前記第１実施形態の回路ブロックと大体同じであるが、この第３実施形態と前記第１実施形態とは次の点で異なる。マトリクス変換回路６２２１は、タイミング・コントローラ６２２の内部に設けられた。
【００２０】
図７を参照すると、本発明の信号送信方法を採用する液晶表示装置の第４実施形態の回路ブロックを示す図である。本実施形態の液晶表示装置７は前記第３実施形態の回路ブロックと大体同じであるが、この第４実施形態と前記第３実施形態とは次の点で異なる。液晶表示モジュール７２のタイミング・コントローラ７２２と、データドライバ７２３との間に信号処理回路７４を直列接続する。前記信号処理回路７４は、メモリコントローラ７４１と、メモリ７４２と、信号処理器７４３とを備える。前記メモリコントローラ７４１は、別々にメモリ７４２と、信号処理器７４３とに接続すると同時に、タイミング・コントローラ７２２と接続する。前記信号処理器７４３は同時にデータドライバ７２３と接続する。
【００２１】
図８を参照すると、本発明の信号送信方法を採用する液晶表示装置の第５実施形態の回路ブロックを示す図である。本実施形態の液晶表示装置８は、ビデオ信号処理板８１と、液晶表示モジュール８２を備える。前記ビデオ信号処理板８１は、アナログ−デジタル・コンバーター８１１と、ティーエムディーエス８１２と、マルチプレクサ８１３と、スケーラー８１４と、低電圧差動信号発送器８１５とを備え、前記液晶表示モジュール８２は、低電圧差動信号接収器８２１と、タイミング・コントローラ８２２と、データドライバ８２３と、走査ドライバ８２４と、液晶面板８２５とを備え、液晶表示モジュール８２は、信号処理回路８４を更に備える。前記信号処理回路８４は、メモリコントローラ８４１と、メモリ８４２と、信号処理器８４３と、マトリクス変換回路８４５と、逆マトリクス変換回路８４６とを備える。前記信号処理回路８４は、前記タイミング・コントローラ８２２と、データドライバ８２３との間に直列接続する。
【００２２】
外界からのアナログＲＧＢ信号は、前記アナログ−デジタル・コンバーター８１１を通じてデジタルＲＧＢ信号になると同時に、前記マルチプレクサ８１３に入力したが、外界からのデジタルＲＧＢ信号は、前記ティーエムディーエス８１２を通じて前記マルチプレクサ８１３に入力し、前記マルチプレクサ８１３は、接収された信号をスケーラー８１４へ出力する。前記スケーラー８１４は接収された信号を処理してＲＧＢ信号に変換すると同時に、前記低電圧差動信号発送器８１５へ出力する。前記低電圧差動信号発送器８１５は接収されたＲＧＢ信号を、ＲＧＢ信号を表わす低電圧差動信号に変換した後に、前記液晶表示モジュール８２へ送信する。前記液晶表示モジュール８２の前記低電圧差動信号接収器８２１は、前記低電圧差動信号を接収すると同時に、ＲＧＢ信号に還元し、且つこの還元後のＲＧＢ信号をタイミング・コントローラ８２２に入力する。前記タイミング・コントローラ８２２は接収されたＲＧＢ信号を処理すると同時に、前記データドライバ８２３及び走査ドライバ８２４へ別々にＲＧＢ信号と、制御信号を出力する。前記データドライバ８２３及び走査ドライバ８２４は、前記液晶面板８２５の表示画像を制御する相応のＲＧＢ信号と制御信号を出力する。
【図面の簡単な説明】
【００２３】
【図１】従来の液晶表示装置の回路ブロックを示す図である。
【図２】従来のオーバードライブ技術を採用した液晶表示装置の回路ブロックを示す図である。
【図３】本発明の液晶表示装置信号送信方法のバンド幅を節約する原理を示す図である。
【図４】本発明の信号送信方法を採用する液晶表示装置の第１実施形態の回路ブロックを示す図である。
【図５】本発明の信号送信方法を採用する液晶表示装置の第２実施形態の回路ブロックを示す図である。
【図６】本発明の信号送信方法を採用する液晶表示装置の第３実施形態の回路ブロックを示す図である。
【図７】本発明の信号送信方法を採用する液晶表示装置の第４実施形態の回路ブロックを示す図である。
【図８】本発明の信号送信方法を採用する液晶表示装置の第５実施形態の回路ブロックを示す図である。
【符号の説明】
【００２４】
３、５、６、７、８  液晶表示装置
３１、８１  ビデオ信号処理板
３２、５２、７２、８２  液晶表示モジュール
３１１、８１１  アナログ−デジタル・コンバーター
３１２、８１２  ティーエムディーエス
３１３、８１３  マルチプレクサ
３１４、８１４  スケーラー
３１５、８１５  低電圧差動信号発送器
３１６、８４５、６２２１  マトリクス変換回路
３２１、８２１  低電圧差動信号接収器
３２４、８２４  走査ドライバ
３２５、５２５、８２５  液晶面板
３２７、８４６  逆マトリクス変換回路
５４、７４、８４  信号処理回路
５４１、７４１、８４１  メモリコントローラ
５４２、７４２、８４２  メモリ
５４３、７４３，８４３  信号処理器
３２２、５２２、６２２、７２２、８２２  タイミング・コントローラ
３２３、５２３、７２３、８２３  データドライバ
【図１】
2007279740.tif 000003
【図２】
2007279740.tif 000004
【図３】
2007279740.tif 000005
【図４】
2007279740.tif 000006
【図５】
2007279740.tif 000007
【図６】
2007279740.tif 000008
【図７】
2007279740.tif 000009
【図８】
2007279740.tif 000010